(57)【要約】【課題】吊り作業の簡略化を図ることができる梁の接続構造を得る。【解決手段】バルコニーユニット１８の床大梁２８、３０を接続する接続部３２に吊り具で保持可能な被保持部３４が設けられており、吊り具で被保持部３４を保持した状態でバルコニーユニット１８の吊り作業を行うことができる。しかも、被保持部３４は、床大梁２８、３０の延在方向から見て床大梁２８、３０と重なる範囲に位置しており、被保持部３４の周辺に配置される部品に対して被保持部３４が影響を及ぼすことを抑制することができる。【選択図】図１
2020176432.tif 000002
【特許請求の範囲】
【請求項１】
建物ユニットの躯体を構成する異なる梁の端部同士を接続する接続部と、
前記梁の延在方向から見て当該梁と重なる範囲において前記接続部に設けられると共に吊り具で保持可能な被保持部と、
を有する梁の接続構造。
【請求項２】
前記接続部は、一つの前記端部が接合された接合壁部を複数備えると共に、
前記被保持部は、複数の前記接合壁部と環を構成した状態で当該接合壁部における前記端部が接合された面と反対側の面同士に架け渡されている、
請求項１に記載の梁の接続構造。
【請求項３】
前記接続部は、第１の梁が接合された前記接合壁部としての第１接合壁部と、当該第１の梁と交差する方向に延びる第２の梁が接合されると共に当該第１接合壁部と連続する前記接合壁部としての第２接合壁部と、を備えた板状とされ、
前記被保持部は、前記第１接合壁部の前記第２接合壁部と反対側の第１端部における建物上方側の部分と当該第２接合壁部の当該第１接合壁部と反対側の第２端部における建物上方側の部分とを繋ぐ第１被保持部と、当該第１端部における建物下方側の部分と当該第２端部における建物下方側の部分とを繋ぐ第２被保持部と、を備えている、
請求項２に記載の梁の接続構造。
【請求項４】
前記接続部は、第１の梁が接合された前記接合壁部としての第１接合壁部と、当該第１の梁と交差する方向に延びる第２の梁が接合されると共に当該第１接合壁部と連続する前記接合壁部としての第２接合壁部と、当該第２の梁と交差する方向に延びる第３の梁が接合されると共に当該第２接合壁部と連続する第３接合壁部を備えた板状とされ、
前記被保持部は、前記第１接合壁部の前記第２接合壁部と反対側の第１端部における建物上方側の部分と前記第３接合壁部の当該第２接合壁部と反対側の第２端部における建物上方側の部分とを繋ぐ第１被保持部と、当該第１端部における建物下方側の部分と当該第２端部における建物下方側の部分とを繋ぐ第２被保持部と、を備えている、
請求項２に記載の梁の接続構造。
【請求項５】
前記接続部は、複数の接合壁部と、当該接合壁部と連続する前記被保持部としての被保持壁部と、を備えると共に建物高さ方向に延びる角筒状とされている、
請求項２に記載の接続構造。
【請求項６】
前記接続部は、第１の梁が接合された前記接合壁部としての第１接合壁部と、当該第１の梁と交差する方向に延びる第２の梁が接合されると共に当該第１接合壁部と連続する前記接合壁部としての第２接合壁部と、を備えた板状とされ、
前記被保持部は、前記第１接合壁部と前記第２接合壁部とを繋ぐと共に当該第１接合壁部と当該第２接合壁部との境界部と反対側に凸となって屈曲又は湾曲した筒状又は棒状とされている、
請求項２に記載の梁の接続構造。
【発明の詳細な説明】
【技術分野】
【０００１】
本発明は、梁の接続構造に関する。
【背景技術】
【０００２】
下記特許文献１には、建物ユニットに関する発明が開示されている。この建物ユニットでは、柱の下端部の側面に溶接された溝形鋼製のジョイントピースに床大梁が接合されている。
【先行技術文献】
【特許文献】
【０００３】
【特許文献１】特開平８−１９３３６２号公報
【発明の概要】
【発明が解決しようとする課題】
【０００４】
ところで、上記特許文献１に記載の先行技術では、建物ユニットを吊り作業等によって移動させるときには、柱等に別途吊具を取り付けるための部材が必要となる。一方で、建物ユニットを移動させた後では吊具を取り付けるための部材が不要となるため、この部材を建物ユニットから取り外す作業が必要となる。このため、上記特許文献１に記載の先行技術は、吊り作業の簡略化を図るという点においては改善の余地が有る。
【０００５】
本発明は上記事実を考慮し、吊り作業の簡略化を図ることができる梁の接続構造を得ることが目的である。
【課題を解決するための手段】
【０００６】
第１の態様に係る梁の接続構造は、建物ユニットの躯体を構成する異なる梁の端部同士を接続する接続部と、前記梁の延在方向から見て当該梁と重なる範囲において前記接続部に設けられると共に吊り具で保持可能な被保持部と、を有している。
【０００７】
第１の態様に係る梁の接続構造では、接続部によって建物ユニットの躯体を構成する異なる梁の端部同士が接続されている。
【０００８】
ところで、建物ユニットを吊り作業等によって移動させるときには、建物ユニットの躯体に別途吊具を取り付けるための部材が必要となる。一方で、建物ユニットを移動させた後では、吊具を取り付けるための部材が不要となるため、この部材を建物ユニットから取り外す作業が必要となる。
【０００９】
ここで、本態様では、接続部に吊り具で保持可能な被保持部が設けられており、吊り具で被保持部を保持した状態で建物ユニットの吊り作業を行うことができる。しかも、被保持部は、梁の延在方向から見て当該梁と重なる範囲に位置しており、被保持部の周辺に配置される部品に対して当該被保持部が影響を及ぼすことを抑制することができる。このため、本態様では、被保持部を建物ユニットから除去することなく、建物ユニットの吊り作業を完了することができる。
【００１０】
第２の態様に係る梁の接続構造は、第１の態様に係る梁の接続構造において、前記接続部は、一つの前記端部が接合された接合壁部を複数備えると共に、前記被保持部は、複数の前記接合壁部と環を構成した状態で当該接合壁部における前記端部が接合された面と反対側の面同士に架け渡されている。
【００１１】
第２の態様に係る梁の接続構造では、接続部が接合壁部を複数備えており、これらの接合壁部にはそれぞれ一つの梁の端部が接合されている。一方、被保持部は、接合壁部における梁の端部が接合された面の反対の面同士に架け渡されており、これらの接合壁部と共に環を構成している。このため、被保持部を安定した状態で建物ユニットの躯体に固定することができると共に、被保持部の一部が開放されているような構成に比し、安定した状態で被保持部を吊り具で保持することができる。
【００１２】
第３の態様に係る梁の接続構造は、第２の態様に係る梁の接続構造において、前記接続部は、第１の梁が接合された前記接合壁部としての第１接合壁部と、当該第１の梁と交差する方向に延びる第２の梁が接合されると共に当該第１接合壁部と連続する前記接合壁部としての第２接合壁部と、を備えた板状とされ、前記被保持部は、前記第１接合壁部の前記第２接合壁部と反対側の第１端部における建物上方側の部分と当該第２接合壁部の当該第１接合壁部と反対側の第２端部における建物上方側の部分とを繋ぐ第１被保持部と、当該第１端部における建物下方側の部分と当該第２端部における建物下方側の部分とを繋ぐ第２被保持部と、を備えている。
【００１３】
第３の態様に係る梁の接続構造では、接続部が、第１接合壁部と、当該第１接合壁部と連続する第２接合壁部とを備えた板状とされている。そして、第１接合壁部には第１の梁が接合されており、第２接合壁部には第１の梁と交差する方向に延びる第２の梁が接合されている。
【００１４】
また、被保持部は、第１被保持部と第２被保持部とを備えている。そして、第１被保持部は、第１接合壁部の第２接合壁部と反対側の第１端部における建物上方側の部分と第２接合壁部の第１接合壁部と反対側の第２端部における建物上方側の部分とを繋いでいる。一方、第２被保持部は、第１端部における建物下方側の部分と第２端部の建物下方側の部分とを繋いでいる。
【００１５】
このため、第１接合壁部、第２接合壁部及び第１被保持部で環が構成されると共に、第１接合壁部、第２接合壁部及び第２被保持部で環が構成される。その結果、第１被保持部及び第２被保持部の少なくとも一方を吊り具によって安定した状態で保持することができる。
【００１６】
また、第１被保持部及び第２被保持部によって第１接合壁部の第１端部と第２接合壁部の第２端部とが連結されており、接続部を補強することができる。
【００１７】
第４の態様に係る梁の接続構造は、第２の態様に係る梁の接続構造において、前記接続部は、第１の梁が接合された前記接合壁部としての第１接合壁部と、当該第１の梁と交差する方向に延びる第２の梁が接合されると共に当該第１接合壁部と連続する前記接合壁部としての第２接合壁部と、当該第２の梁と交差する方向に延びる第３の梁が接合されると共に当該第２接合壁部と連続する第３接合壁部を備えた板状とされ、前記被保持部は、前記第１接合壁部の前記第２接合壁部と反対側の第１端部における建物上方側の部分と前記第３接合壁部の当該第２接合壁部と反対側の第２端部における建物上方側の部分とを繋ぐ第１被保持部と、当該第１端部における建物下方側の部分と当該第２端部における建物下方側の部分とを繋ぐ第２被保持部と、を備えている。
【００１８】
第４の態様に係る梁の接続構造では、接続部が、第１接合壁部と、当該第１接合壁部と連続する第２接合壁部と、当該第２接合壁部と連続する第３接合壁部とを備えた板状とされている。そして、第１接合壁部には第１の梁が接合されており、第２接合壁部には第１の梁と交差する方向に延びる第２の梁が接合されており、第３接合壁部には第２の梁と交差する方向に延びる第３の梁が接合されている。このため、本態様では、接続部に３本の梁の端部を集約させることができる。
【００１９】
また、第１被保持部及び第２被保持部によって第１接合壁部の第１端部と第３接合壁部の第２端部とが連結されており、接続部を補強することができる。
【００２０】
第５の態様に係る梁の接続構造は、第２の態様に係る梁の接続構造において、前記接続部は、複数の接合壁部と、当該接合壁部と連続する前記被保持部としての被保持壁部と、を備えると共に建物高さ方向に延びる角筒状とされている。
【００２１】
第５の態様に係る梁の接続構造では、接続部が建物高さ方向に延びる角筒状とされていると共に、複数の接合壁部と、これらの接合壁部と連続する被保持壁部とを備えている。そして、接合壁部には、梁の端部が接合されており、被保持壁部が吊り具で保持される。このため、本態様では、一つの部材を複数の梁の連結及び吊り具による保持に用いることができる。
【００２２】
第６の態様に係る梁の接続構造は、第２の態様に係る梁の接続構造において、前記接続部は、第１の梁が接合された前記接合壁部としての第１接合壁部と、当該第１の梁と交差する方向に延びる第２の梁が接合されると共に当該第１接合壁部と連続する前記接合壁部としての第２接合壁部と、を備えた板状とされ、前記被保持部は、前記第１接合壁部と前記第２接合壁部とを繋ぐと共に当該第１接合壁部と当該第２接合壁部との境界部と反対側に凸となって屈曲又は湾曲した筒状又は棒状とされている。
【００２３】
第６の態様に係る梁の接続構造では、第１接合壁部、第２接合壁部及び被保持部で環が構成されるため、被保持部を吊り具によって安定した状態で保持することができる。また、被保持部は、第１接合壁部と第２接合壁部との境界部と反対側に凸となって屈曲又は湾曲した筒状又は棒状とされているため、被保持部が建物高さ方向を板厚方向とされた板状とされているような構成に比し、被保持部の剛性を確保することができる。
【発明の効果】
【００２４】
以上説明したように、第１の態様に係る梁の接続構造では、吊り作業の簡略化を図ることができるという優れた効果を有する。
【００２５】
第２の態様に係る梁の接続構造では、建物ユニットが安定した状態で建物ユニットの吊り作業を行うことができるという優れた効果を有する。
【００２６】
第３の態様に係る梁の接続構造では、重量が大きい建物ユニットの吊り作業に対応することができるという優れた効果を有する。
【００２７】
第４の態様に係る梁の接続構造では、建物ユニットの躯体の角部以外の箇所も建物ユニットの吊り作業に用いることができるという優れた効果を有する。
【００２８】
第５の態様に係る梁の接続構造では、吊り作業の簡略化を図りつつ、建物ユニットの躯体の構成の複雑化の抑制を図ることができる。
【００２９】
第６の態様に係る梁の接続構造では、建物ユニットがより安定した状態で建物ユニットの吊り作業を行うことができるという優れた効果を有する。
【図面の簡単な説明】
【００３０】
【図１】第１実施形態に係る梁の接続構造が適用されたバルコニーユニットにおける要部の構成を示す斜視図である。
【図２】第１実施形態に係る梁の接続構造が適用されたバルコニーユニットの床フレームの構成を示す平面図である。
【図３】第１実施形態に係る梁の接続構造が適用された建物の構成を示す斜視図である。
【図４】第２実施形態に係る梁の接続構造が適用された追加ユニットの床フレームの構成を示す平面図である。
【図５】第２実施形態に係る梁の接続構造が適用された追加ユニットにおける要部の構成を示す斜視図である。
【図６】第３実施形態に係る梁の接続構造が適用されたバルコニーユニットにおける要部の構成を示す斜視図である。
【図７】第４実施形態に係る梁の接続構造が適用されたバルコニーユニットにおける要部の構成を示す斜視図である。
【発明を実施するための形態】
【００３１】
以下、図１〜図３を用いて、本発明の第１実施形態に係る梁の接続構造について説明する。まず、図３を主に用いて、本実施形態に係る梁の接続構造が適用された建物１０の全体構造について説明する。
【００３２】
建物１０は、複数配置されて建物１０の下階側を構成する建物ユニット１２と、建物ユニット１２の建物上方側に配置されて建物１０の上階側を構成する建物ユニット１４とを備えている。
【００３３】
建物ユニット１２は、第１方向（各図に示される矢印１）を長手方向として配置されており、建物ユニット１４は、第１方向を長手方向として配置された状態で建物ユニット１２の上面に載置されている。また、建物ユニット１４の第１方向の長さは、建物ユニット１２の第１方向の長さよりも短い長さに設定されており、建物ユニット１４の第１方向一方側の側面が、建物ユニット１２の第１方向一方側の側面に対して第１方向他方側にオフセットされている。すなわち、建物ユニット１４は、セットバックユニットとされている。
【００３４】
そして、建物ユニット１２の上面における第１方向一方側の部分には、バルコニー１６の一部を構成する建物ユニットとしての「バルコニーユニット１８」が載置されている。このバルコニーユニット１８は、その建物下方側の部分を構成する床部２０と、腰壁部２２とを含んで構成されている。
【００３５】
より詳しくは、図２にも示されるように、床部２０は、躯体としての「床フレーム２４」と床パネル２６とを含んで構成されている。床フレーム２４は、第１の梁としての「床大梁２８」と、第２の梁としての「床大梁３０」とを含んで、平面視で格子状に構成されている。なお、床大梁２８、３０は、溝形鋼で構成されている。
【００３６】
床大梁２８は、第１方向に間隔をあけて一対とされて配置されると共に、第１方向と交差する方向、より具体的には、第１方向及び建物高さ方向と直交する第２方向（各図に示される矢印２）に延びている。一方、床大梁３０は、第１方向に延びると共に、その長さを床大梁２８よりも短い長さに設定されており、床大梁２８間に架け渡されている。なお、床大梁３０は、第２方向に所定の間隔をあけて複数配置されている。
【００３７】
床パネル２６は、板状とされると共に、床大梁２８、３０の上面に敷設されており、床部２０の床面を構成している。
【００３８】
一方、腰壁部２２は、床部２０の屋外側の周縁部に沿って配置されると共に、当該周縁部から建物上方側に延びている。
【００３９】
ここで、本実施形態では、図１に示されるように、床大梁２８と床フレーム２４の第２方向両端部に配置された床大梁３０との連結部に、本実施形態に係る梁の接続構造が適用されている。以下、本実施形態の要部である梁の接続構造について詳細に説明することとする。
【００４０】
床フレーム２４の角部（図２の二点鎖線で囲まれている部分）では、床大梁２８の「端部２８Ａ」と床大梁３０の「端部３０Ａ」とが「接続部３２」を介して接続されている。この接続部３２は、それぞれ矩形の板状とされた「第１接合壁部３２Ａ」と「第２接合壁部３２Ｂ」とを備えており、建物高さ方向から見て第１接合壁部３２Ａと第２接合壁部３２Ｂとは直交した状態で連続している。
【００４１】
第１接合壁部３２Ａは、床大梁２８の端面を塞いだ状態で床大梁２８に溶接等による図示しない接合部で接合されており、一方、第２接合壁部３２Ｂは、床大梁３０の端面を塞いだ状態で床大梁３０に溶接等による図示しない接合部で接合されている。
【００４２】
また、第１接合壁部３２Ａにおける端部２８Ａが接合された面と反対側の「面３２Ａ１」と第２接合壁部３２Ｂにおける端部３０Ａが接合された面と反対側の「面３２Ｂ１」との間には、「被保持部３４」が架け渡されている。
【００４３】
詳しくは、被保持部３４は、「第１被保持部３６」及び「第２被保持部３８」を含んで構成されている。そして、第１被保持部３６及び第２被保持部３８は、第１接合壁部３２Ａにおける第２接合壁部３２Ｂと反対側の第１端部としての「端部３２Ａ２」と第２接合壁部３２Ｂにおける第１接合壁部３２Ａと反対側の第２端部としての「端部３２Ｂ２」とを繋いでいる。
【００４４】
第１被保持部３６は、板厚方向を建物高さ方向とされると共に建物高さ方向から見て第１接合壁部３２Ａと第２接合壁部３２Ｂとの境界部側に向かって縮幅された台形の板状とされている。この第１被保持部３６は、一方側の端部が端部３２Ａ２の建物上方側の部分に、他方側の端部が端部３２Ｂ２の建物上方側の部分に、それぞれ溶接等による図示しない接合部で接合されている。
【００４５】
一方、第２被保持部３８は、第１被保持部３６と同様の構成とされると共に、一方側の端部が端部３２Ａ２の建物下方側の部分に、他方側の端部が端部３２Ｂ２の建物下方側の部分に、それぞれ溶接等による図示しない接合部で接合されている。つまり、第１被保持部３６及び第２被保持部３８は、建物高さ方向から見て第１接合壁部３２Ａ及び第２接合壁部３２Ｂと環を構成した状態となっている。なお、第１被保持部３６及び第２被保持部３８は、床大梁２８、３０の延在方向から見て床大梁２８、３０と重なる範囲に位置している。
【００４６】
また、第１被保持部３６及び第２被保持部３８は、フックやスリングベルト等の吊り具で保持可能とされていると共に、４つの第１被保持部３６及び４つの第２被保持部３８のうち少なくとも３つを用いることで、バルコニーユニット１８の重量を支持することが可能とされている。
【００４７】
＜本実施形態の作用及び効果＞
次に、本実施形態の作用並びに効果を説明する。
【００４８】
本実施形態では、図１に示されるように、接続部３２によってバルコニーユニット１８の床フレーム２４を構成する床大梁２８、３０の端部同士が接続されている。
【００４９】
ところで、バルコニーユニット１８を吊り作業等によって移動させるときには、バルコニーユニット１８の床フレーム２４に別途吊具を取り付けるための部材が必要となる。一方で、バルコニーユニット１８を移動させた後では、吊具を取り付けるための部材が不要となるため、この部材をバルコニーユニット１８から取り外す作業が必要となる。
【００５０】
ここで、本実施形態では、接続部３２に吊り具で保持可能な被保持部３４が設けられており、吊り具で被保持部３４を保持した状態でバルコニーユニット１８の吊り作業を行うことができる。しかも、被保持部３４は、床大梁２８、３０の延在方向から見て床大梁２８、３０と重なる範囲に位置しており、被保持部３４の周辺に配置される部品に対して第１被保持部３６及び第２被保持部３８が影響を及ぼすことを抑制することができる。
【００５１】
このため、本実施形態では、被保持部３４をバルコニーユニット１８から除去することなく、バルコニーユニット１８の吊り作業を完了することができる。したがって、本実施形態では、バルコニーユニット１８の吊り作業の簡略化を図ることができる。
【００５２】
また、本実施形態では、接続部３２が第１接合壁部３２Ａと第２接合壁部３２Ｂを備えており、第１接合壁部３２Ａと第２接合壁部３２Ｂにはそれぞれ一つの床大梁の端部が接合されている。一方、被保持部３４は、第１接合壁部３２Ａと第２接合壁部３２Ｂにおける床大梁の端部が接合された面の反対の面同士に架け渡されており、第１接合壁部３２Ａ及び第２接合壁部３２Ｂと共に環を構成している。
【００５３】
このため、被保持部３４を安定した状態でバルコニーユニット１８の床フレーム２４に固定することができると共に、被保持部３４の一部が開放されているような構成に比し、安定した状態で被保持部３４を吊り具で保持することができる。したがって、本実施形態では、バルコニーユニット１８が安定した状態でバルコニーユニット１８の吊り作業を行うことができる。
【００５４】
また、本実施形態では、接続部３２が、第１接合壁部３２Ａと、第１接合壁部３２Ａと連続する第２接合壁部３２Ｂとを備えた板状とされている。そして、第１接合壁部３２Ａには床大梁２８が接合されており、第２接合壁部３２Ｂには床大梁２８と交差する方向に延びる床大梁３０が接合されている。
【００５５】
また、被保持部３４は、第１被保持部３６と第２被保持部３８とを備えている。そして、第１被保持部３６は、第１接合壁部３２Ａの端部３２Ａ２における建物上方側の部分と第２接合壁部３２Ｂの端部３２Ｂ２における建物上方側の部分とを繋いでいる。一方、第２被保持部３８は、端部３２Ａ２における建物下方側の部分と端部３２Ｂ２の建物下方側の部分とを繋いでいる。
【００５６】
このため、第１接合壁部３２Ａ、第２接合壁部３２Ｂ及び第１被保持部３６で環が構成されると共に、第１接合壁部３２Ａ、第２接合壁部３２Ｂ及び第２被保持部３８で環が構成される。その結果、第１被保持部３６及び第２被保持部３８の少なくとも一方を吊り具によって安定した状態で保持することができる。
【００５７】
また、第１被保持部３６及び第２被保持部３８によって第１接合壁部３２Ａの端部３２Ａ２と第２接合壁部３２Ｂの端部３２Ｂ２とが連結されており、接続部３２を補強することができる。したがって、本実施形態では、重量が大きいバルコニーユニット１８の吊り作業に対応することができる。
【００５８】
＜第２実施形態＞
以下、図４及び図５を用いて、本発明の第２実施形態に係る梁の接続構造について説明する。なお、上述した第１実施形態と同一構成部分については同一番号を付してその説明を省略する。
【００５９】
本実施形態に係る接続構造は、バルコニーユニット１８の第２方向への拡張等に用いられる建物ユニットとしての「追加ユニット４０」に適用されている。
【００６０】
具体的には、追加ユニット４０は、基本的にバルコニーユニット１８と同様の構成とされており、床部４２と、図示しない腰壁部とを含んで構成されている。床部４２は、躯体としての「床フレーム４４」を備えており、床フレーム４４は、第２方向に延びる第１の梁としての「床大梁４６」と、床大梁３０と、第２方向に延びる第３の梁としての「床大梁４８」とを含んで、平面視で格子状に構成されている。なお、床大梁４６、４８は、溝形鋼で構成されている。
【００６１】
床大梁４６は、第１方向に間隔をあけて一対とされて配置されると共に、第２方向に延びている。一方、床大梁４８は、床大梁４６よりも短い長さに設定されると共に、床大梁４６と第２方向に間隔をあけて床大梁４６の同一直線上に配置されると共に、第２方向に延びている。
【００６２】
そして、本実施形態では、床大梁４６の「端部４６Ａ」と床大梁４８の「端部４８Ａ」との隙間に床大梁３０の端部３０Ａが面しており、端部４６Ａ、端部４８Ａ及び端部３０Ａが「接続部５０」を介して接続されている。
【００６３】
この接続部５０は、それぞれ矩形の板状とされた「第１接合壁部５０Ａ」と「第２接合壁部５０Ｂ」と「第３接合壁部５０Ｃ」とを備えており、建物高さ方向から見てコ字状に屈曲されている。換言すれば、建物高さ方向から見て第１接合壁部５０Ａと第２接合壁部５０Ｂとが直交した状態で連続しており、第２接合壁部５０Ｂと第３接合壁部５０Ｃとが直交した状態で連続している。
【００６４】
そして、第１接合壁部５０Ａは、床大梁４６の端面を塞いだ状態で床大梁４６に、第２接合壁部５０Ｂは、床大梁３０の端面を塞いだ状態で床大梁３０に、第３接合壁部５０Ｃは、床大梁４８の端面を塞いだ状態で床大梁４８に、それぞれ溶接等による図示しない接合部で接合されている。
【００６５】
また、第１接合壁部５０Ａにおける端部４６Ａが接合された面と反対側の「面５０Ａ１」と第３接合壁部５０Ｃにおける端部４８Ａが接合された面と反対側の「面５０Ｃ１」との間には、「被保持部５２」が架け渡されている。
【００６６】
詳しくは、被保持部５２は、「第１被保持部５４」及び「第２被保持部５６」を含んで構成されている。そして、第１被保持部５４及び第２被保持部５６は、第１接合壁部５０Ａにおける第２接合壁部５０Ｂと反対側の第１端部としての「端部５０Ａ２」と第３接合壁部５０Ｃにおける第２接合壁部５０Ｂと反対側の第２端部としての「端部５０Ｃ２」とを繋いでいる。
【００６７】
第１被保持部５４は、板厚方向を建物高さ方向とされると共に建物高さ方向から見て第２方向に延びる矩形の板状とされている。この第１被保持部５４は、一方側の端部が端部５０Ａ２の建物上方側の部分に、他方側の端部が端部５０Ｃ２の建物上方側の部分に、それぞれ溶接等による図示しない接合部で接合されている。
【００６８】
一方、第２被保持部５６は、第１被保持部５４と同様の構成とされると共に、一方側の端部が端部５０Ａ２の建物下方側の部分に、他方側の端部が端部５０Ｃ２の建物下方側の部分に、それぞれ溶接等による図示しない接合部で接合されている。つまり、第１被保持部５４及び第２被保持部５６は、建物高さ方向から見て第１接合壁部５０Ａ、第２接合壁部５０Ｂ及び第３接合壁部５０Ｃと環を構成した状態となっている。なお、第１被保持部５４及び第２被保持部５６は、床大梁４６、３０、２８の延在方向から見て床大梁４６、３０、２８と重なる範囲に位置している。
【００６９】
また、本実施形態では、床フレーム４４の角部において、床大梁同士の連結部に第１実施形態に係る梁の接続構造が適用されている。
【００７０】
このような構成によれば、接続部５０が、第１接合壁部５０Ａと、第１接合壁部５０Ａと連続する第２接合壁部５０Ｂと、第２接合壁部５０Ｂと連続する第３接合壁部５０Ｃとを備えた板状とされている。そして、第１接合壁部５０Ａには床大梁４６が接合されており、第２接合壁部５０Ｂには床大梁３０が接合されており、第３接合壁部５０Ｃには床大梁４８が接合されている。このため、本実施形態では、接続部５０に３本の床大梁の端部を集約させることができる。
【００７１】
また、第１被保持部５４及び第２被保持部５６によって第１接合壁部５０Ａの端部５０Ａ２と第３接合壁部５０Ｃの端部５０Ｃ２とが連結されており、接続部５０を補強することができる。したがって、本実施形態では、床フレーム４４の角部以外の箇所も追加ユニット４０の吊り作業に用いることができる。
【００７２】
＜第３実施形態＞
以下、図６を用いて、本発明の第３実施形態に係る梁の接続構造について説明する。なお、上述した第１実施形態と同一構成部分については同一番号を付してその説明を省略する。
【００７３】
本実施形態では、床フレーム２４の角部において、床大梁２８と床大梁３０との連結部に建物高さ方向に延びる角筒状の「接続部６０」が設けられている点に特徴がある。
【００７４】
具体的には、接続部６０は、「接合壁部６０Ａ」、「接合壁部６０Ｂ」及び被保持部としての「被保持壁部６０Ｃ、６０Ｄ」を含んで構成されている。接合壁部６０Ａは、第１接合壁部３２Ａと同様に床大梁２８に接合されており、接合壁部６０Ｂは、第２接合壁部３２Ｂと同様に床大梁３０に接合されている。
【００７５】
また、被保持壁部６０Ｃは、接合壁部６０Ａ及び被保持壁部６０Ｄと連続しており、被保持壁部６０Ｄは、接合壁部６０Ｂと連続しているため、被保持壁部６０Ｃ、６０Ｄは、接合壁部６０Ａ、６０Ｂと共に環を構成した状態となっている。なお、接続部６０は、床大梁２８、３０の延在方向から見て床大梁２８、３０と重なる範囲に位置している。
【００７６】
このような構成によれば、接続部６０が建物高さ方向に延びる角筒状とされていると共に、接合壁部６０Ａ、６０Ｂと、接合壁部６０Ａ、６０Ｂと連続する被保持壁部６０Ｃ、６０Ｄとを備えている。そして、接合壁部６０Ａ、６０Ｂには、それぞれ床大梁の端部が接合されており、被保持壁部が吊り具で保持される。このため、本実施形態においても上述した第１実施形態と基本的に同様の作用並びに効果を奏する。
【００７７】
さらに、本実施形態では、一つの部材を複数の床大梁の連結及び吊り具による保持に用いることができるため、吊り作業の簡略化を図りつつ、バルコニーユニット１８の床フレーム２４の構成の複雑化の抑制を図ることができる。
【００７８】
＜第４実施形態＞
以下、図７を用いて、本発明の第４実施形態に係る梁の接続構造について説明する。なお、上述した第１実施形態と同一構成部分については同一番号を付してその説明を省略する。
【００７９】
本実施形態では、「被保持部７０」が、第１接合壁部３２Ａと第２接合壁部３２Ｂとに架け渡された円筒状の第１被保持部７２及び第２被保持部７４を備えている点に特徴がある。
【００８０】
具体的には、第１被保持部７２及び第２被保持部７４は、それぞれ第１接合壁部３２Ａ及び第２接合壁部３２Ｂに溶接等による図示しない接合部で接合されている。また、第１被保持部７２及び第２被保持部７４は、第１接合壁部３２Ａと第２接合壁部３２Ｂとの境界部と反対側に凸となって湾曲している。なお、第１被保持部７２と第２被保持部７４とは、建物高さ方向に所定の間隔をあけて配置されている。
【００８１】
このような構成によれば、第１接合壁部３２Ａ、第２接合壁部３２Ｂ及び被保持部７０で環が構成されるため、被保持部７０を吊り具によって安定した状態で保持することができる。このため、本実施形態においても上述した第１実施形態と基本的に同様の作用並びに効果を奏する。
【００８２】
また、本実施形態では、被保持部７０が、第１接合壁部３２Ａと第２接合壁部３２Ｂとの境界部と反対側に凸となって湾曲した筒状とされているため、被保持部７０が建物高さ方向を板厚方向とされた板状とされているような構成に比し、被保持部７０の剛性を確保することができる。したがって、本実施形態では、バルコニーユニット１８がより安定した状態でバルコニーユニット１８の吊り作業を行うことができる。
【００８３】
＜上記実施形態の補足説明＞
（１）  上述した実施形態では、バルコニーユニットの床フレームに各実施形態に係る梁の接続構造が適用されていたが、これに限らない。例えば、建物ユニット１２、１４の天井フレーム等に各実施形態に係る梁の接続構造を適用してもよい。
【００８４】
（２）  また、上述した第１実施形態では、第１被保持部３６及び第２被保持部３８が板状とされていたが、床フレーム２４の角部周辺の構成等に応じて、第１被保持部３６及び第２被保持部３８が筒状や棒状とされていてもよい。
【００８５】
（３）  また、上述した第２実施形態では、第１被保持部５４及び第２被保持部５６が板状とされていたが、床フレーム４４の構成等に応じて、第１被保持部５４及び第２被保持部５６が筒状や棒状とされていてもよい。
【００８６】
（４）  加えて、上述した第４実施形態では、被保持部７０が第１接合壁部３２Ａと第２接合壁部３２Ｂとの境界部と反対側に凸となって湾曲した筒状とされていたが、これに限らない。例えば、被保持部７０は、棒状であってもよいし、第１接合壁部３２Ａと第２接合壁部３２Ｂとの境界部と反対側に凸となって屈曲していてもよい。
【符号の説明】
【００８７】
１８      バルコニーユニット（建物ユニット）
２４      床フレーム（躯体）
２８      床大梁（第１の梁）
２８Ａ    端部
３０      床大梁（第２の梁）
３０Ａ    端部
３２      接続部
３２Ａ    第１接合壁部
３２Ａ１  面
３２Ａ２  端部（第１端部）
３２Ｂ    第２接合壁部
３２Ｂ１  面
３２Ｂ２  端部（第２端部）
３４      被保持部
３６      第１被保持部
３８      第２被保持部
４０      追加ユニット（建物ユニット）
４４      床フレーム（躯体）
４６      床大梁（第１の梁）
４６Ａ    端部
４８      床大梁（第３の梁）
４８Ａ    端部
５０      接続部
５０Ａ    第１接合壁部
５０Ａ１  面
５０Ａ２  端部（第１端部）
５０Ｂ    第２接合壁部
５０Ｃ    第３接合壁部
５０Ｃ１  面
５０Ｃ２  端部（第２端部）
５２      被保持部
５４      第１被保持部
５６      第２被保持部
６０      接続部
６０Ａ    接合壁部
６０Ｂ    接合壁部
６０Ｃ    被保持壁部
６０Ｄ    被保持壁部
７０      被保持部
【図１】
2020176432.tif 000003
【図２】
2020176432.tif 000004
【図３】
2020176432.tif 000005
【図４】
2020176432.tif 000006
【図５】
2020176432.tif 000007
【図６】
2020176432.tif 000008
【図７】
2020176432.tif 000009